(57)【要約】【課題】  対面キッチンにおいて、調理時に発生する煙、水蒸気等がリビング・ダイニング側に流れ出るのを防止すること。【解決手段】  補助送風機６を備え、レンジフード３に隣接して通風部材９が配設され、通風部材は内部に通風路を有し、下端に複数の吹出し口１１が形成され、補助送風機の運転により、空気が通風部材の吹出し口から下方に吹き出す。【選択図】図１
2006177589.tif 000002
【特許請求の範囲】
【請求項１】
対面キッチンに設置される換気装置であって、補助送風機を備え、レンジフードに隣接して通風部材が配設され、通風部材は内部に通風路を有し、下端に複数の吹出し口が形成され、補助送風機の運転により、空気が通風部材の吹出し口から下方に吹き出すことを徴とする換気装置。
【請求項２】
調理機器の使用により発生する煙、水蒸気等をレンジフードを通じて外部へ吸い出す本体送風機の運転に連動して補助送風機が運転される請求項１記載の換気装置。
【請求項３】
本体送風機の運転と補助送風機の運転の連動および解除がスイッチにより切り換えられる請求項２記載の換気装置。
【請求項４】
下方に空気を吹き出す第１の通風部材の第１の通風路に連通する第２の連通路を有し、複数の吹出し口がキッチン側に上下に並んで形成された第２の通風部材が、第１の通風部材に連設され、第２の通風部材ではリビング・ダイニング側からキッチン側に向かって空気が吹き出す請求項１ないし３いずれか１項記載の換気装置。
【発明の詳細な説明】
【技術分野】
【０００１】
本願発明は、対面キッチンに設置される換気装置に関するものである。
【背景技術】
【０００２】
調理時に調理機器の使用により発生する煙、水蒸気等をレンジフードで捕集し切れずにウォールキャビネットや壁面側に漏出するのを防止するために、ウォールキャビネットに煙捕集用疑似キャビネットを形成する箱体をレンジフードに隣接させて組み込み、箱体の底面側に開口させて形成した収納空間に煙捕集用ファンを収納して組み込むとともに、煙捕集用ファンが収納された収納空間を排気口を介してレンジフードに連通させたものが知られている（たとえば、特許文献１参照）。
【特許文献１】特開平１１−１２７９９２号公報
【発明の開示】
【発明が解決しようとする課題】
【０００３】
しかしながら、図５に示した対面キッチンについては、特許文献１に記載されたような配慮がなされておらず、調理機器１の使用により発生する煙、水蒸気等の全てを、換気装置２に備えたレンジフード３を通じて外部に排出することはできず、一部が、キッチン４側からリビング・ダイニング５側へと漏出することが防げなかった。
【０００４】
本願発明は、このような事情に鑑みてなされたものであり、対面キッチンにおいて、調理時に発生する煙、水蒸気等がリビング・ダイニング側に流れ出るのを防止することのできる換気装置を提供することを課題としている。
【課題を解決するための手段】
【０００５】
本願発明は、上記の課題を解決するために、第１には、対面キッチンに設置される換気装置であって、補助送風機を備え、レンジフードに隣接して通風部材が配設され、通風部材は内部に通風路を有し、下端に複数の吹出し口が形成され、補助送風機の運転により、空気が、通風部材の吹出し口から下方に吹き出すことを特徴としている。
【０００６】
本願発明は、第２には、調理機器の使用により発生する煙、水蒸気等をレンジフードを通じて外部へ吸い出す本体送風機の運転に連動して補助送風機が運転されることを特徴としている。
【０００７】
本願発明は、第３には、本体送風機の運転と補助送風機の運転の連動および解除がスイッチにより切り換えられることを特徴としている。
【０００８】
本願発明は、第４には、下方に空気を吹き出す第１の通風部材の第１の通風路に連通する第２の連通路を有し、複数の吹出し口がキッチン側に上下に並んで形成された第２の通風部材が、第１の通風部材に連設され、第２の通風部材ではリビング・ダイニング側からキッチン側に向かって空気が吹き出すことを特徴としている。
【発明の効果】
【０００９】
本願発明の第１の換気装置によれば、通風部材の下端に形成された吹出し口から下方に吹き出す空気がレンジフードに吸い込まれるように流れるため、調理時に発生する煙、水蒸気等がレンジフードに吸い込まれ、リビング・ダイニング側に漏出するのが防止される。
【００１０】
本願発明の第２の換気装置によれば、本体送風機の運転と補助送風機の運転が連動し、運転操作が簡便となる。
【００１１】
本願発明の第３の換気装置によれば、補助送風機を必要なときに運転させることができ、補助送風機を運転させるまでもないときは停止させることができる。
【００１２】
本願発明の第４の換気装置によれば、第２の通風部材に形成された吹出し口からキッチン側に吹き出す空気もレンジフードに吸い込まれるように流れるので、リビング・ダイニング側への煙、水蒸気等の漏出がより一層防止される。
【発明を実施するための最良の形態】
【００１３】
図１は、本願発明の換気装置の一実施形態を示した斜視図である。
【００１４】
換気装置２は、対面キッチンに設けられた調理器具の上方に設置される。この換気装置２は、レンジフード３を備え、調理時に調理機器の使用により発生する煙、水蒸気等をレンジフード３を通じて外部に排出する。このような排気のために、換気装置２は本体送風機を備えている（図１図中での図示は省略している）。
【００１５】
換気装置２は、また、補助送風機６を備えてもいる。補助送風機６は、その運転により、たとえば換気装置２の上幕板７に横列させて形成することのできる複数のスリット状の給気口８を通じてキッチン４側の空気を換気装置２の内部に導入する。
【００１６】
換気装置２には、レンジフード３の側方に隣接して通風部材９が設けられている。通風部材９は、図２に示したように、内部に通風路１０を有しており、補助送風機６の運転により導入された空気が流入することができるようになっている。通風路１０は、たとえば図２に示したように、上端部から下端部に向かって細長状にのび、下端部において平面視三角形状に広がったものとすることができる。通風部材９の下端には、複数のスリット状の吹出し口１１が形成されていて、リビング・ダイニング５側からキッチン４側に向かって並んでいる。通風部材９の内部の通風路１０に流入した空気は、図１図中に示した矢印方向にように、吹出し口１１から下方に吹き出すようになっている。
【００１７】
換気装置２において、本体送風機を運転させた状態で補助送風機６を運転させると、図１図中に示した矢印のように、吹出し口１１から下方に吹き出した空気は、本体送風機の運転による空気流に誘引され、レンジフード３側に吸い込まれ、側方から内部に向かう空気流が形成する。したがって、調理時に調理機器の使用により発生する煙、水蒸気等は、レンジフード３に向かって吸い込まれる。一部のリビング・ダイニング５側に流れようとする煙、水蒸気等は、通風部材９の吹出し口１１から下方に吹き出す空気流がレンジフード３に誘引されることから、この空気流に乗ってレンジフード３へと吸い込まれる。対面キチンにおいて、調理時に発生する煙、水蒸気等が、リビング・ダイニング５側に漏出するのが防止される。複雑なダクトを配管せずに、煙、水蒸気等の排出を実現することができる。
【００１８】
補助送風機６の運転は、換気装置２の本体送風機の運転に連動させることができ、運転操作を簡便なものとすることができる。また、補助送風機６の運転は、必要なときに本体送風機と連動させるように、切換スイッチ１２を通風部材９の正面に配設することができる。煙、水蒸気等が多量に発生する場合に補助送風機６を運転させ、少量の場合には補助送風機６を停止させることができる。
【００１９】
図３は、通風部材の別の形態を示した斜視図である。
【００２０】
図３に示した通風部材９では、複数のスリット状の吹出し口１１が形成された下端が、キッチン４側からリビング・ダイニング５側に向かって斜め下方に傾斜している。
【００２１】
図４は、通風部材の別の形態を示した斜視図である。
【００２２】
下端に複数のスリット状の吹出し口１３が形成された第１の通風部材１４に第２の通風部材１５が連設されている。第１の通風部材１４がキッチン４側に、第２の通風部材１５がリビング・ダイニング５側に配置され、第２の通風部材１５は、第１の通風部材１４よりも縦長の部材とされている。
【００２３】
第１の通風部材１４の内部に形成された第１の通風路１６には、第２の通風部材１５側に連通口１７が形成されており、第２の通風部材１５で縦にのびる第２の通風路１８が、連通口１７において第１の通風路１６と連通している。第２の通風部材１５において、第２の通風路１８はキッチン４側に配置され、第１の通風部材１４より下側に位置するキッチン４側の面に、スリット状の複数の吹出し口１９が上下に形成されている。
【００２４】
図４に示した通風部材では、第１の通風部材１４において吹出し口１３から下方に空気が吹き出すとともに、第２の通風部材１５においては吹出し口１９からキッチン４側に向かって空気が吹き出す。いずれの空気流も換気装置２の本体送風機の運転によりレンジフード３側に誘引される。このため、調理時にキッチン４側からリビング・ダイニング５側へ漏出しようとする煙、水蒸気等は、より一層レンジフード３側に吸い込まれることとなる。
【００２５】
なお、図４に示した通風部材において、吹出し口１３、１９から吹き出す空気の量は、吹出し口１３の方が多く、このため、吹出し口１３、１９から吹き出す空気が衝突し、乱流が発生することはない。
【図面の簡単な説明】
【００２６】
【図１】本願発明の換気装置の一実施形態を示した斜視図である。
【図２】通風部材の一形態を示した斜視図である。
【図３】通風部材の別の形態を示した斜視図である。
【図４】通風部材の別の形態を示した斜視図である。
【図５】対面キッチンを換気装置とともに示した斜視図である。
【符号の説明】
【００２７】
２    換気装置
３    レンジフード
４    キッチン
５    リビング・ダイニング
６    補助送風機
７    上幕板
８    給気口
９    通風部材
１０    通風路
１１    吹出し口
１２    切換スイッチ
１３    吹出し口
１４    第１の通風部材
１５    第２の通風部材
１６    第１の通風路
１７    連通口
１８    第２の通風路
１９    吹出し口
【図１】
2006177589.tif 000003
【図２】
2006177589.tif 000004
【図３】
2006177589.tif 000005
【図４】
2006177589.tif 000006
【図５】
2006177589.tif 000007